(57)【要約】【課題】可動ノズルの先端部の下面を清潔に保つのに有利な局部洗浄装置を提供する。【解決手段】局部洗浄装置は、基部１と、基部１に装備され局部に向けて洗浄水を吹き出す吹出口をもつ可動ノズル３と、可動ノズル３を切替えるノズル作動部６とを備える。洗浄処理時に仮想鉛直線に対して可動ノズル３を斜め下方に前進させる。仮想鉛直線に対して斜め上方に可動ノズル３を退避させる。可動ノズル３の先端部３１の下面３２は、鉛直線の下方に指向すると共に仮想水平線に沿った面形状を備える。【選択図】図１
2008050781.tif 000002
【特許請求の範囲】
【請求項１】
便器に搭載される基部と、前記基部に装備され局部に向けて洗浄水を吹き出す吹出口をもつ可動ノズルと、洗浄処理時に仮想鉛直線に対して前記可動ノズルを斜め下方に前進させる前進位置と仮想鉛直線に対して斜め上方に前記可動ノズルを退避させる退避位置とに前記可動ノズルを切替えるノズル作動部とを具備する局部洗浄装置において、
前記可動ノズルの先端部の下面は、鉛直線の下方に指向すると共に仮想水平線に沿った面形状を備えていることを特徴とする局部洗浄装置。
【請求項２】
請求項１において、前記基部は、少なくとも一部が便器の便鉢内の収容空間に対面する対面壁と、便器の便鉢内の収容空間に対面すると共に前記可動ノズルが出入りするノズル出入口と有しており、
前記可動ノズルが退避位置にあるとき、前記可動ノズルの先端部の下面は、前記基部の前記対面壁の下面に沿った平面を有する面形状を備えていることを特徴とする局部洗浄装置。
【請求項３】
請求項１または２において、前記可動ノズルが退避位置にあるとき、前記便器内に仮想的に設定した基準高さ位置に対して、前記可動ノズルの前記先端部の前記下面の高さ位置と、前記対面壁の下面の高さ位置とが同一またはほぼ同一とされていることを特徴とする局部洗浄装置。
【請求項４】
請求項１〜３のうちのいずれか一項において、前記可動ノズルを高さ方向に沿って切断した断面図において、前記可動ノズルの前記先端部の前記下面と前記可動ノズルの中心線との交差角は、鋭角形状とされており、前記可動ノズルが前記退避位置にあるとき、前記可動ノズルの先端部の下面は、前記基部の対面壁の下面に沿った平面を有する面形状を備えていることを特徴とする局部洗浄装置。
【発明の詳細な説明】
【技術分野】
【０００１】
本発明は局部洗浄装置に関する。
【背景技術】
【０００２】
一般的には、局部洗浄装置は、便器に搭載される基部と、基部に装備され局部に向けて洗浄水を吹き出す吹出口をもつ可動ノズルと、洗浄処理時に可動ノズルを前進させる前進位置と洗浄処理終了時に可動ノズルを退避させる退避位置とに可動ノズルを切替えるノズル作動部とを備えている。ここで、洗浄処理時に、ノズル作動部が作動すると、仮想鉛直線に対して可動ノズルは斜め下方に前進して前進位置となる。前進位置の可動ノズルの吹出口から洗浄水が局部に向けて吹き出され、局部の洗浄処理が行われる。洗浄処理終了時に、ノズル作動部が逆方向に作動すると、可動ノズルは、仮想鉛直線に対して斜め上方に退避して退避位置となり、基部に隠蔽される。特許文献１には、トイレ装置において、可動ノズルの先端部の上面を平坦化させた平坦部を形成し、局部を洗浄する洗浄水を局部に吹き出す吹出口が平坦部に形成されている構造が開示されている。このものによれば、吹出口が平坦部に形成されているため、水の噴出方向が安定化すると記載されている。
【特許文献１】国際公開番号ＷＯ２００４／０８３５３９
【発明の開示】
【発明が解決しようとする課題】
【０００３】
上記したように一般的な局部洗浄装置によれば、局部を洗浄するときには、可動ノズルが斜め下方に前進して便器の便鉢の収容空間に向けて突出し、可動ノズルの吹出口から洗浄水が局部に向けて吹き出される。
【０００４】
即ち、図７は、便器の便鉢の収容空間に向けて突出している可動ノズル３Ｘを示す。この場合、図７に示すように、可動ノズル３Ｘの先端部３１Ｘの下面３２Ｘは、仮想線Ｗ１０に沿って傾斜しているため、下方に向きつつも横方にも指向している。そして洗浄処理時に、ノズル作動部が作動すると、仮想鉛直線に対して可動ノズル３Ｘは斜め下方（矢印ＹＤ方向）に前進する。そして前進位置の可動ノズル３Ｘの吹出口３０Ｘから洗浄水ＷＡが局部に向けて斜め上方に向けて吹き出され、局部の洗浄処理が行われる。
【０００５】
このように可動ノズル３Ｘの先端部３１Ｘの下面３２Ｘが下方に向きつつも横方に向いていると、洗浄処理時において、上側から飛沫等が飛散するとき、条件によっては、洗浄処理時における飛沫等が横方から可動ノズル３Ｘの先端部３１Ｘの下面３２Ｘに付着するおそれが少なからずある。洗浄処理時における飛翔が可動ノズル３Ｘの先端部３１Ｘの下面３２Ｘに付着したまま乾燥すると、汚れが取りにくくなる。このため可動ノズル３Ｘの先端部３１Ｘの下面３２Ｘを長期にわたり清潔に保つには、限界があった。
【０００６】
本発明は上記した実情に鑑みてなされたものであり、可動ノズルの先端部の下面を清潔に保つのに有利な局部洗浄装置を提供することを課題とするにある。
【課題を解決するための手段】
【０００７】
本発明者は可動ノズルについて鋭意開発を進めている。そして、図７に示すようように、従来から使用されている可動ノズル３Ｘの先端部３１Ｘの下面を、鉛直線の下方に指向すると共に仮想水平線に沿った面形状をもつ下面３２Ｙとすれば、下面３２Ｙは鉛直方向の真下に指向するものの、横方に指向していないため、上側からの飛翔が下面３２に付きにくいことに着目し、本発明を完成させた。
【０００８】
（１）様相１に係る局部洗浄装置は、便器に搭載される基部と、基部に装備され局部に向けて洗浄水を吹き出す吹出口をもつ可動ノズルと、洗浄処理時に仮想鉛直線に対して可動ノズルを斜め下方に前進させる前進位置と仮想鉛直線に対して斜め上方に可動ノズルを退避させる退避位置とに可動ノズルを切替えるノズル作動部とを具備する局部洗浄装置において、可動ノズルの先端部の下面は、鉛直線の下方に指向すると共に仮想水平線に沿った面形状を備えていることを特徴とする。
【０００９】
洗浄処理時には、仮想鉛直線に対して斜め下方に可動ノズルをノズル作動部により前進させ、可動ノズルを前進位置とする。可動ノズルの吹出口から洗浄水を局部に向けて吹き出す。不使用時には、仮想鉛直線に対して斜め上方に可動ノズルをノズル作動部により退避させて退避位置とする。前進した可動ノズルの先端部の下面は、鉛直線の下方に指向すると共に仮想水平線に沿った面形状を備えている。このため洗浄処理時においても、不使用時においても、可動ノズルの先端部の下面は鉛直方向の下方に指向しており、横方向に指向していない。従って、可動ノズルが斜め下向きに突出する洗浄処理時において、上側から降りかかる飛翔（洗浄水や排便の飛翔）などが可動ノズルの先端部の下面に付着することが抑制される。従って長期にわたり、可動ノズルの先端部の下面を清潔に保つのに有利となる。
【００１０】
（２）様相２に係る局部洗浄装置によれば、様相１において、基部は、少なくとも一部が便器の便鉢内の収容空間に対面する対面壁と、便器の便鉢内の収容空間に対面すると共に可動ノズルが出入りするノズル出入口と有しており、可動ノズルが退避位置にあるとき、可動ノズルの先端部の下面は、基部の対面壁の下面に沿った平面を有する面形状を備えていることを特徴とする。本様相によれば、様相１の作用に加えて次の作用が得られる。即ち、不使用時に、可動ノズルが退避位置にあるとき、可動ノズルの先端部は先方に向かうにつれて細くなる形状に設定されており、可動ノズルの先端部の下面は、基部の対面壁の下面に沿った平面を有する面形状を備えている。清掃時には可動ノズルが退避位置にある。この場合、清掃時に基部の対面壁の下面を雑巾等の清掃用具で拭き取れば、対面壁の下面と共に、可動ノズルの先端部の下面を併せて清掃できる。従って、可動ノズルの先端部の下面を清潔に保つのに有利となる。なお、可動ノズルが退避位置にあるときには、可動ノズルの先端部の下面の高さ位置は、基部の対面壁の下面の高さ位置と同じか、あるいは、ほぼ同じであることが好ましい。
【発明の効果】
【００１１】
本発明によれば、可動ノズルの先端部の下面を清潔に保つのに有利となる。
【発明を実施するための最良の形態】
【００１２】
（実施形態１）
本発明の実施形態について図１〜図４を参照して具体的に説明する。図１は局部洗浄装置の要部を示す断面図である。図２は局部洗浄装置の主要部を拡大して示す断面図である。図３は組付途中の局部洗浄装置において基部および便座付近を示す斜視図である。図４は組付途中の局部洗浄装置の側面図である。
【００１３】
局部洗浄装置は洋式の便器１００に搭載されるものであり、便器１００に保持される基部１と、局部に向けて洗浄水を上向きに吹き出す吹出口３０をもつ可動ノズル３と、可動ノズル３を前進および退避させる方向に作動させるノズル作動部６とを備えている。基部１は、便器１００の後部の取付面１００ａに保持されたベース１０と、ベース１０に取り付けられ収容室１１を形成するカバー１２と、使用者が着座する便座１３と、カバー１２に設けられ便座１３を高さ方向に沿って揺動させる揺動部１４とを有する。便座１３は下部１３ｄと上部１３ｕとを接合して形成されている。カバー１２には、洗浄スイッチ等の各種スイッチが取り付けられる開口１２０ｘをもつ操作パネル１２０（図３参照）が装備されている。図１に示すように、カバー１２の収容室１１には、ノズルガイド１６を持つホルダ１７が設けられている。ノズルガイド１６は、便器１００の便鉢１０１の収容空間１０５に向かうにつれて次第に下降するように、仮想鉛直線に対して斜め下方（矢印ＹＵ方向）に傾けて延設されている。
【００１４】
図１に示すように、基部１のベース１０は、一部が便器１００の便鉢１０１内の収容空間１０５に対面する対面壁１８と、便器１００の便鉢１０１内の収容空間１０５に対面するノズル出入口１９と有している。対面壁１８は仮想水平線に沿うよう平坦状に延設されている。従って対面壁１８の下面１８ｕは平坦状とされている。ノズル出入口１９は可動ノズル３の先端部３１が出入りする開口である。
【００１５】
本実施形態では、可動ノズル３は、女性局部洗浄と便局部洗浄用とで二つ装備されている。このため図３に示すように、対面壁１８において、ノズル出入口１９は、女性局部洗浄用の可動ノズルが出入りするものと、便局部洗浄用の可動ノズルが出入りするものとの二つ並設して形成されている。以下、便局部洗浄用の可動ノズルが出入りする可動ノズル３について説明するが、女性局部洗浄用のものは基本的には同様の構造、作用効果を有する。図１に示すように、可動ノズル３は、基部１のノズルガイド１６に前進後退可能に装備されている。可動ノズル３は、局部に向けて洗浄水を吹き出す吹出口３０をもつ。可動ノズル３の吹出口３０は、可動ノズル３の上壁面３５において開口しており、局部に向けて斜め上向きに洗浄水を吹き出す。可動ノズル３の外壁面の下側には、外歯状をなすラック部３９が形成されている。可動ノズル３の長手方向に沿った中心線はＰ１として示される。カバー１２の前面壁１２ｆは便鉢１０１に向かうにつれて下降傾斜しており、退避位置Ｒ２に位置する可動ノズル３を前方から覆っている。
【００１６】
ノズル作動部６は、洗浄処理時に、仮想鉛直線に対して可動ノズル３を斜め下方（矢印ＹＤ方向）に前進させる前進位置Ｒ１と、洗浄処理の終了時に、仮想鉛直線に対して斜め上方（矢印ＹＵ方向）に可動ノズル３を退避させる退避位置Ｒ２とに可動ノズル３を切替える。可動ノズル３の先端部３１の下面３２は、仮想水平線Ｈ１に沿った面形状を備えている。更に説明を加える。つまり、図１および図２は可動ノズル３が退避位置Ｒ２にある状態を示す。基部１のベース１０の対面壁１８の下面１８ｕは、仮想水平線Ｈ１に沿った平坦な形状をなしている。このように可動ノズル３が退避位置Ｒ２にあるとき、可動ノズル３の先端部３１の下面３２は、基部１のベース１０の対面壁１８の下面１８ｕに沿った平面を有する面形状を備えている。ここで、図１および図２に示すように、可動ノズル３が基部１の収容室１１内に退避している退避位置Ｒ２にあるとき、仮想の基準高さ位置８０（図２参照）に対して、可動ノズル３の先端部３１の下面３２の高さ位置と、対面壁１８の下面１８ｕの高さ位置とが同一またはほぼ同一とされている。本明細書では、基準高さ位置８０は、現実の部品位置自体を示すものではなく、可動ノズル３の先端部３１の下面３２の高さ位置を規定するために便器１００に仮想的に設定されるものであり、その高さ位置は適宜選択される。
【００１７】
図２に示すように、ベース１０の対面壁１８のうち便座１３側には、シール部１８ｕがベース１０と一体的に形成されている。シール部１８ｕは、可動ノズル３の傾きと同じ方向に傾斜するように延設された傾斜シール面１８ｗをもつ。可動ノズル３が退避位置Ｒ２にあるとき、可動ノズル３３の先端部３１の傾斜上壁面３１ｕが、シール部１８ｕの傾斜シール面１８ｕに対面するため、可動ノズル３３の先端部３１がシールされる。可動ノズル３３の先端部３１の傾斜上壁面３１ｕに飛沫が付着していたとしても、可動ノズル３３の先端部３１の傾斜上壁面３１ｕがシール部１８ｕの傾斜シール面１８ｕに対面して接触可能であるため、傾斜シール面１８ｕにより飛沫が除去される効果が期待される。
【００１８】
図２に示すように、可動ノズル３の先端部３１のうち、シール部１８ｕと反対側には、シール突部３７が突設されている。シール突部３７は、対面壁１８のノズル出入口１９に対面し、可動ノズル３の先端部３１とノズル出入口１９の周縁部分１９ｅとの間の隙間を埋め、シール性を高める。図１に示すように、ノズル作動部６は基部１内のホルダ１７に保持されている。具体的にはカバー１２の収容室１１内に配置されている。ノズル作動部６は、横軸形のモータ軸６０を有するモータ６１と、モータ軸６０に取り付けられた第１ピニオン６２と、第１ピニオン６２と噛み合う第２ピニオン６３とを備えている。第２ピニオン６３は可動ノズル３のラック部３９と噛み合う。モータ６１はノズルガイド１６の下方に設けられている。モータ６１はステッピングモータとされており、入力パルスの数によりモータ６１の回転駆動量が設定される。
【００１９】
図１に示すように、可動ノズル３が退避位置Ｒ２にあるとき、可動ノズル３の先端部３１の下面３２は、基部１の対面壁１８の下面１８ｕに沿った平滑な平面形状とされており、下面１８ｕとほぼ面一状態とされている。また、可動ノズル３の先端部３１の下面３２は真下（鉛直方向Ｐ２の真下）に指向している。洗浄処理時には、操作パネルの洗浄スイッチを使用者が操作すると、ノズル作動部６のモータ６１が回転作動し、第１ピニオン６２、第２ピニオン６３が回転し、ラック部３９が直動する。この結果、可動ノズル３が斜め下方向（矢印ＹＤ方向）に沿って突出し、便器１００の便鉢１０１の収容空間１０５に近づく。そして吹出口３０から洗浄水が斜め上向きに吹き出し、局部（便局部または女性局部）が洗浄される。
【００２０】
このように洗浄処理時において、可動ノズル３が斜め下方に向けて前方に突出しているが、可動ノズル３の先端部３１の下面３２は、横を向いておらず、真下（鉛直方向Ｐ２の下方）を指向している。従って、可動ノズル３の先端部３１の下面３２の中心を通る中心線は、鉛直方向Ｐ２に沿っている。このように下面３２は鉛直方向の下向に指向しているため、洗浄処理時において上側から飛沫等が飛散するときであっても、飛沫が可動ノズル３の先端部３１の下面３２に付着することが抑制される。よって長期にわたり、可動ノズル３の先端部３１の下面３２を清潔に保つのに有利となる。図２は、可動ノズル３を高さ方向に沿って切断した断面図を示す。図２において、可動ノズル３の先端部３１の下面３２と可動ノズル３の中心線Ｐ１との交差角θ１は、鋭角形状とされている。角度θ１は一般的には約２０〜７０度内、３０〜６０度内に設定されている。但しこれに限定されるものではなく、８０度未満の鋭角状であればよい。従って、可動ノズル３の先端部３１の下面３２と傾斜上壁面３１ｕとで形成される尖端部３６は、先端に向かうにつれて厚みが小さくされており、尖端部３６の先端角度θ３は鋭角状とされている。尖端部３６は実質的に三角形状とされている。なお、可動ノズル３の先端部３１の傾斜下壁面３１ｄと、水平線に沿って延設されている下面３２との傾斜角度θ５（図２参照）は、９０度を越える鈍角とされている。
【００２１】
上記したように局部を洗浄水で洗浄する洗浄処理が終了すると、ノズル作動部６のモータ６１が逆方向に作動し、第１ピニオン６２、第２ピニオン６３が逆方向に回転し、ラック部３９が逆方向に作動し、可動ノズル３が斜め上方向（矢印ＹＵ方向）に沿って自動的に退避し、便器１００の便鉢１０１の収容空間１０５から離間する。可動ノズル３の基端部３ｒ側に形成されている被ストッパ部４０が基部１のストッパ部４５に当接すれば、可動ノズル３のそれ以上の退避は防止される。このため、可動ノズル３が退避位置Ｒ２に位置決めされる。ストッパ部４５および被ストッパ部４０は、可動ノズル３の前進および退避方向において可動ノズル３を位置決めさせる位置決め要素として機能する。
【００２２】
また図１に示すように可動ノズル３の被ストッパ部４０が基部１のストッパ部４５に当接しており、可動ノズル３が退避位置Ｒ２にあるとき、可動ノズル３の先端部３１の下面３２は、鉛直方向の真下に指向すると共に、基部１の対面壁１８の下面１８ｕに対して実質的に段差がないほぼ面一状態とされている。このため可動ノズル３の不使用時に清掃を行うとき、作業者が基部１のベース１０の対面壁１８の下面１８ｕを、雑巾等の清掃具で拭き取れば、可動ノズル３の先端部３１の下面３２をも同時に拭き取ることができる。このため可動ノズル３の先端部３１の下面３２を掃除する作業が簡便となり、下面３２を清潔に保つのに有利となる。本実施形態によれば、可動ノズル３が退避位置Ｒ２にあるとき、可動ノズル３の先端部３１の下面３２は、基部１の対面壁１８の下面１８ｕに対して実質的に段差がないほぼ面一状態とされている。このため使用者等が対面壁１８を視認するときであっても、対面壁１８における外観の見栄えも良好である。
【００２３】
（実施形態２）
図５は実施形態２を示す。本実施形態は前記した実施形態１と基本的には同様の構成、同様の作用効果を有する。図５に示すように、可動ノズル３が退避位置Ｒ２にあるとき、可動ノズル３の先端部３１の下面３２は、鉛直方向の真下に指向している。更にこの下面３２は、基部１の対面壁１８の下面１８ｕよりもノズルガイド１６側につまり内側に微小量ΔＬ１退避している。
【００２４】
（実施形態３）
図６は実施形態３を示す。本実施形態は前記した実施形態１と基本的には同様の構成、同様の作用効果を有する。図６に示すように、ベース１０の対面壁１８のノズル出入口１９の周縁には、ストッパ部４５ａ，４５ｃが形成されている。ストッパ部４５ａは、断面で傾斜する傾斜面で形成されている。ストッパ部４５ｃは、断面で傾斜する傾斜面で形成されている。更に可動ノズル３の先端部３１には、被ストッパ部４０ａ，４０ｃが形成されている。被ストッパ部４０ａは、高さ方向に沿った断面においてストッパ部４５ａと同じ方向に傾斜する傾斜面で形成されている。被ストッパ部４０ｃは、高さ方向に沿った断面（図６参照）において、ストッパ部４５ｃと同じ方向に傾斜する傾斜面で形成されている。ここで図６に示すように、被ストッパ部４０ａ，４０ｃは、ノズルガイド１６から遠ざかるにつれて、つまり、矢印ＹＤ方向（可動ノズル３の前進方向）に向かうにつれて拡開するように直状に傾斜している。局部を洗浄水で洗浄する洗浄処理時において、前述したように可動ノズル３が斜め下方（矢印ＹＤ方向）に向けて前方に突出する。このとき図６に示すように、可動ノズル３の先端部３１の下面３２は、横を向いておらず、真下（鉛直方向の下方）を指向している。このため洗浄処理時において、上側から飛散する飛沫等が可動ノズル３の先端部３１の下面３２に付着することが抑制される。よって可動ノズル３の先端部３１の下面３２を清潔に保つのに有利となる。
【００２５】
洗浄処理が終了すると、ノズル作動部のモータが逆方向に作動し、可動ノズル３が斜め上方向（矢印ＹＵ方向）に沿って退避し、便器の便鉢の収容空間１０５から離間する。可動ノズル３の先端側の被ストッパ部４０ａ，４０ｃがベース１０の対面壁１８のストッパ部４５ａ，４５ｃに当接すれば、可動ノズル３のそれ以上の移動は防止される。このように可動ノズル３の被ストッパ部４０ａ，４０ｃが基部１のストッパ部４５ａ，４５ｃに当接しており、可動ノズル３が退避位置Ｒ２にあるとき、可動ノズル３の先端部３１の下面３２は、実施形態１と同様に、基部１の対面壁１８の下面１８ｕに対して段差がないほぼ面一状態とされている。このため可動ノズル３の不使用時に清掃するとき、作業者が基部１のベース１０の対面壁１８の下面１８ｕを雑巾等の清掃具で拭き取れば、可動ノズル３の先端部３１の下面３２を同時に拭き取ることができる。このため可動ノズル３の先端部３１の下面３２を清潔に保つのに有利となる。上記したように可動ノズル３の被ストッパ部４０ａ，４０ｃが基部１のストッパ部４５ａ，４５ｃに当接すれば、被ストッパ部４０ａとストッパ部４５ａとの間の隙間が実質的に消失し、被ストッパ部４０ｃとストッパ部４５ｃとの間の隙間が実質的に消失する。故に可動ノズル３とノズル出入口１９の周縁部との間におけるシール性が良好に維持される。なお本実施形態において、可動ノズル３が退避位置Ｒ２にあるとき、可動ノズル３の先端部３１の下面３２は、鉛直方向の真下に指向しつつ、基部１の対面壁１８の下面１８ｕよりもノズルガイド１６部側に微小量ΔＬ退避している形態としても良い。
【００２６】
（実施形態４）
本実施形態は前記した実施形態１と基本的には同様の構成、同様の作用効果を有する。本実施形態によれば、図示はしないものの、便器の取付面に保持されている基部が便器に対して回動可能となる局部洗浄装置とされている。このものによれば、清掃時には、基部が回動に伴い便器の取付面に立設される。このような回動構造をもつ局部洗浄装置に本発明が適用されている。この場合、清掃時には、便座および基部は、便器の取付面に対して立設される。故に、基部の対面壁の下面は、下方向ではなく、横方向に指向する。この状態で、基部のベースの対面壁の下面を作業者が雑巾等の清掃具で拭き取れば、通常の状態では清掃し辛い可動ノズルの先端部の下面をも容易に拭き取り清掃することができる。
【００２７】
（その他）
上記した実施形態によれば、モータ６１を有するノズル作動部６を設け、洗浄処理時にモータ６１の回転作動により可動ノズル３を斜め下方に前進させるとともに、洗浄処理終了時にモータ６１の逆方向への回転作動により、可動ノズル３を斜め上方に退避させることにしているが、これに限らず、ノズル作動部としてはモータを有しない方式としても良い。即ち、洗浄処理時に洗浄水の水圧により可動ノズル３を前進させると共に、洗浄処理終了時にリターンバネにより可動ノズル３を斜め上方に退避させることにしても良い。またノズル作動部としては、可動ノズル３を移動させる操作ハンドルを設け、使用者の手作業により操作ハンドルを操作させて可動ノズル３を手動で前進させると共に、洗浄処理終了時に使用者の手作業によりハンドルを操作させて可動ノズル３を斜め上方に手動で退避させることにしても良い。本発明は上記し且つ図面に示した実施形態のみに限定されるものではなく、洋式の便器に限らず、ポータブルトイレ等にも適用される等、必要に応じて適宜変更して実施可能である。
【産業上の利用可能性】
【００２８】
本発明は便局部や女性局部を洗浄する局部洗浄装置に利用できる。
【図面の簡単な説明】
【００２９】
【図１】実施形態１に係り、局部洗浄装置の要部を示す断面図である。
【図２】局部洗浄装置の主要部を拡大して示す断面図である。
【図３】組付途中の局部洗浄装置において基部および便座付近を示す斜視図である。
【図４】組付途中の局部洗浄装置の側面図である。
【図５】実施形態２に係り、局部洗浄装置の主要部を示す断面図である。
【図６】実施形態３に係り、局部洗浄装置の主要部を示す断面図である。
【図７】従来技術に係り、局部洗浄装置の主要部を示す断面図である。
【符号の説明】
【００３０】
図中、１は基部、１９はノズル出入口、３は可動ノズル、３０は吹出口、３１は可動ノズルの先端部、３２は下面、４０ａ，４０ｃは可動ノズルの被ストッパ部、４５ａ，４５ｃは基部のストッパ部を示す。
【図１】
2008050781.tif 000003
【図２】
2008050781.tif 000004
【図３】
2008050781.tif 000005
【図４】
2008050781.tif 000006
【図５】
2008050781.tif 000007
【図６】
2008050781.tif 000008
【図７】
2008050781.tif 000009